(57)【要約】【課題】  トレイの前進不能状態を安価簡単な構造で容易に解消すること。【解決手段】  ディスク載置用トレイ５を前後進ａ，ｂ可能に支持するローダーシャーシ６と、該ローダーシャーシ６に上下動可能に枢支されて光ピックアップ及びターンテーブルを搭載したトラバースシャーシと、ローダーシャーシ６の前部に前後進ａ，ｂ方向とは直交する左右方向ｅ，ｆにスライド可能に配置されてカム機構によりトラバースシャーシに連動連結されたカムスライダとを備えた装置本体２が設けられ、装置本体２を覆う金属板製遮蔽箱２５に小幅のつなぎ部３５を介してサービスパーツ３６が一体形成されており、つなぎ部３５を破断して遮蔽箱２５から分離したサービスパーツ３６を遮蔽箱２５のパーツ挿入口３７を通ってローダーシャーシ６内に挿入し、そのサービスパーツ３６によりカムスライダ１０を左右方向ｅ，ｆにスライドさせ、トレイ５を前進ａさせる。【選択図】        図５
2009266273.tif 000002
【特許請求の範囲】
【請求項１】
ディスク載置用トレイを前後進可能に支持するローダーシャーシと、該ローダーシャー
シに上下動可能に枢支されて光ピックアップ及びターンテーブルを搭載したトラバースシ
ャーシと、ローダーシャーシの前部に前後進方向とは直交する左右方向にスライド可能に
配置されてカム機構によりトラバースシャーシに連動連結されたカムスライダとを備えた
装置本体が設けられ、プレイモードでターンテーブルによりディスクを高速回転させて該
ディスクに記録されている情報を光ピックアップで読み取るように形成され、前記トレイ
の下面の係合溝に対向して係合ピンが前記カムスライダに一体突設されており、該カムス
ライダをスライドさせて係合ピンをトレイの係合溝に係合させることにより、そのトレイ
をわずかに前進させるようにしたディスク装置において、前記装置本体を覆う金属板製遮
蔽箱に小幅のつなぎ部を介してサービスパーツが一体形成されており、つなぎ部を破断し
てサービスパーツを遮蔽箱から分離し、該サービスパーツをカムスライダに係合させて、
そのカムスライダを左右方向に沿って押し引きするようにしたことを特徴とするディスク
装置。
【請求項２】
前記サービスパーツが、細長帯状パーツ本体と、該パーツ本体の一端または両端から直
角に折り曲げたフック部とからなり、該フック部によりカムスライダの一端を押したり、
そのフック部をカムスライダの一端に係合させて引っ張るようにしたことを特徴とする請
求項１に記載のディスク装置。
【発明の詳細な説明】
【技術分野】
【０００１】
本発明は、例えばＤＶＤレコーダやＤＶＤプレーヤなどのディスク装置に関し、特に、
トレイの前進不能状態を安価簡単な構造で容易に解消することができるようにしたもので
ある。
【背景技術】
【０００２】
従来、ディスク装置の一例として図７〜図１０に示すものがあり、図７は同水平断面図
、図８は同縦断面図、図９は同横断面図、図１０は同トレイの平面図である。
【０００３】
図７〜図９に示すように、ディスク装置は、筐体１内に装置本体２と制御部３とを配置
したものであり、前記装置本体２は、ディスクＤ載置用トレイ５を前後進ａ，ｂ可能に支
持するローダーシャーシ６と、該ローダーシャーシ６に上下動ｃ，ｄ可能に枢支されて光
ピックアップ７及びターンテーブル８を搭載したトラバースシャーシ９とを備え、ローダ
ーシャーシ６の前部にカムスライダ１０が前後進ａ，ｂ方向とは直交する左右方向ｅ，ｆ
に沿ってスライド可能に配置され、該カムスライダ１０に形成したカム溝１１ａとトラバ
ースシャーシ９の前部に突設されてカム溝１１ａに嵌入するカム軸１１ｂとからなるカム
機構１１によりカムスライダ１０とトラバースシャーシ９とが連動連結されている。図７
中、１２は駆動ピニオンであって、カムスライダ１０に形成したカムラック１０ａに噛合
して該カムスライダ１０を左右方向ｅ，ｆにスライドさせたり、トレイ５の下面に一体形
成したトレイラック５ａ（図１０参照）に噛合して該トレイ５を前後進ａ，ｂさせる。
【０００４】
図７に示すように，カムスライダ１０の上面両端に一対の係合ピン１０ｂが一体突設さ
れており、図７に実線で示すように、トレイ５をローダーシャーシ６内に収納している状
態で、該両係合ピン１０ｂをトレイ５の下面の係合溝５ｂの傾斜面１３（図１０参照）に
係合させることにより、トレイ５をわずかに前進ａさせて、トレイラック５ａを駆動ピニ
オン１２に噛合させる。
【０００５】
また、図７に仮想線で示すように、最前進ａ状態のトレイ５を後進ｂさせてローダーシ
ャーシ６内に完全に収納する直前に、係合溝５ｂの傾斜面１３を両係合ピン１０ｂに係合
させて、カムスライダ１０を矢印ｆ方向にわずかにスライドさせ、カムラック１０ａを駆
動ピニオン１２に噛合させる。
【０００６】
図７及び図８に示すように、ターンテーブル８に対向してローダーシャーシ６の両側板
６ａ間に架設した横桁１４にクランパ１５が一定範囲内昇降可能に配置されている。なお
、１６はターンテーブル８を高速回転させるためのスピンドルモータである。
【０００７】
図７及び図１０に示すように、トレイ５の中央から後端近傍まで前後進ａ，ｂ方向に沿
って開口部１７が開設されると共に、該トレイ５の上面５ａの中央に８ｃｍのディスクＤ
を載置するための小径凹部１８と１２ｃｍの大径ディスクＤを載置するための大径凹部１
９とが同心状に形成されている。
【０００８】
図７に示すように、前記制御部３は、各種電子部品を搭載したＡＶプリント基板２０及
びメイン基板２１を有している。
【０００９】
上記構成において、プレイモードでは、図８に実線で示すように、トラバースシャーシ
９を上動ｃさせてターンテーブル８によりディスクＤを持ち上げ、該ターンテーブル８と
クランパ１５とでディスクＤをクランプし、そのクランプしたディスクＤをターンテーブ
ル８により高速回転させ、該ディスクＤに光ピックアップ７の対物レンズＯＬを通してレ
ーザ光を投射し、その反射光を光ピックアップ７を介して受光し、その受光信号に基づい
てディスクＤに記録されている情報を読み取り、モニター（図示せず）に映像を再生した
り録画する。
【００１０】
プレイモードでアンローディング信号が入力されると、駆動ピニオン１２の回転駆動に
よりカムスライダ１０を矢印ｅ方向にスライドさせて、カム機構１１を介してトラバース
シャーシ９を下動ｄさせ（図８仮想線参照）、ターンテーブル８からトレイ５にディスク
Ｄを受け渡した後、カムラック１０ａを駆動ピニオン１２から離間させ、それとほぼ同時
に、係合ピン１０ｂを係合溝５ｂの傾斜面１３に係合させてトレイ５をわずかに前進ａさ
せることにより、トレイラック５ａを駆動ピニオン１２に噛合させ、該駆動ピニオン１２
の回転駆動によりトレイラック５ａを介してトレイ５を前進ａさせ（図７仮想線参照）、
該トレイ５からディスクＤを取り出し新たなディスクＤをそのトレイ５上に載置する。
【００１１】
続いて、ローディング信号が入力されると、トレイ５を後進ｂさせてローダーシャーシ
６内にほぼ完全に収納する直前に、トレイラック５ａを駆動ピニオン１２から離間させ、
それとほぼ同時に、係合溝５ｂの傾斜面１３を係合ピン１０ｂに係合させてカムスライダ
１０を矢印ｆ方向にスライドさせることにより、カムラック１０ａを駆動ピニオン１２に
噛合させ、該駆動ピニオン１２の回転駆動によりカムスライダ１０を矢印ｆ方向にスライ
ドさせ、カム機構１１を介してトラバースシャーシ９を上動ｃさせることにより、トレイ
５上のディスクＤをターンテーブル８で持ち上げ、該ターンテーブル８とクランパ１５と
でディスクＤをクランプする（図８実線参照）。
【００１２】
上記構成において、図８に実線で示すように、トレイ５がローダーシャーシ６内に収納
されている状態で、停電になったり、駆動ピニオン１２を回転駆動させるためのモータが
故障したり、ディスクＤがローダーシャーシ６内に詰まるなどして、トレイ５が前進ａ不
能状態になり、ディスクＤを取り出すことができなくなる場合がある。
【００１３】
トレイ５の前進ａ不能状態を解消する技術として特許文献１に記載したものがある。こ
れは、図９に示すように、カムスライダ１０の一端に対向してローダーシャーシ６の側板
６ａに形成した切欠き部２２にドライバなどの工具２３を挿通し、該工具２３によりカム
スライダ１０の一端を矢印ｅ方向に押すことにより、両係合ピン１０ｂを係合溝５ｂの傾
斜面１３に係合させて、該トレイ５をわずかに前進ａさせ、これにより、ローダーシャー
シ６から若干突出したトレイ５の先端を指部で把持し、そのトレイ５を矢印ａ方向に引っ
張ってローダーシャーシ６内から引き出す。
【００１４】
また、特許文献２に記載しているように、カムスライダ１０から前進ａ方向にに延びる
レバーを一体突設し、そのレバーを指部で把持してカムスライダ１０を矢印ｅ方向にスラ
イドさせることにより、両係合ピン１０ｂを係合溝５ｂの傾斜面１３に係合させて、該ト
レイ５をわずかに前進ａさせる。
【特許文献１】特開２００３−２１７２１０号公報
【特許文献２】実用新案登録第３０８７６３０号公報
【発明の開示】
【発明が解決しようとする課題】
【００１５】
特許文献１に記載の構成では、トレイ５が前進ａ不能状態になったときに、その状態を
解消するための工具が手元に無い場合があり、その工具を探すのに手間がかかって面倒で
ある。
【００１６】
また、装置本体２の切欠き部２２に隣接して機器（この例では制御部３）が設けられて
いる場合、その機器と装置本体２との間の狭い空間を通って切欠き部２２に挿入すること
ができるような手頃な工具２３がなかなか見つからず、不便であった。
【００１７】
また、工具２３でカムスライダ１０の一端を矢印ｅ方向に押しても、該トレイ５がロー
ダーシャーシ６内に引っ掛かって前進ａさせることができない場合には、そのカムスライ
ダ１０を矢印ｆ方向に引っ張って元の位置に戻した後、再び、同じ操作を行うことにより
、そのトレイ５の引っ掛かりを解消することが考えられるが、一般的な工具２３では、押
すことができても引くことはできない。
【００１８】
特許文献２に移載の構成では、比較的長尺のレバーをカムスライダ１０に一体突設して
いるから、そのレバー付きカムスライダ１０の成形金型の構造が複雑になり、金型代が高
くついてコストアップになる。
【００１９】
本発明は、上記従来の欠点に鑑み、トレイの前進不能状態を安価簡単な構造で容易に解
消することができるようにしたディスク装置を提供することを目的としている。
【課題を解決するための手段】
【００２０】
上記目的を達成するため、請求項１記載の発明は、ディスク載置用トレイを前後進可能
に支持するローダーシャーシと、該ローダーシャーシに上下動可能に枢支されて光ピック
アップ及びターンテーブルを搭載したトラバースシャーシと、ローダーシャーシの前部に
前後進方向とは直交する左右方向にスライド可能に配置されてカム機構によりトラバース
シャーシに連動連結されたカムスライダとを備えた装置本体が設けられ、プレイモードで
ターンテーブルによりディスクを高速回転させて該ディスクに記録されている情報を光ピ
ックアップで読み取るように形成され、前記トレイの下面の係合溝に対向して係合ピンが
前記カムスライダに一体突設されており、該カムスライダをスライドさせて係合ピンをト
レイの係合溝に係合させることにより、そのトレイをわずかに前進させるようにしたディ
スク装置において、前記装置本体を覆う金属板製遮蔽箱に小幅のつなぎ部を介してサービ
スパーツが一体形成されており、つなぎ部を破断してサービスパーツを遮蔽箱から分離し
、該サービスパーツをカムスライダに係合させて、そのカムスライダを左右方向に沿って
押し引きするようにしたことを特徴としている。
【００２１】
請求項２に記載の発明は、請求項１に記載の発明において、前記サービスパーツが、細
長帯状パーツ本体と、該パーツ本体の一端または両端から直角に折り曲げたフック部とか
らなり、該フック部によりカムスライダの一端を押したり、そのフック部をカムスライダ
の一端に係合させて引っ張るようにしたことを特徴としている。
【発明の効果】
【００２２】
請求項１に記載の発明によれば、トレイがローダーシャーシ内に収納されている状態で
前進不能となったときには、遮蔽箱からサービスパーツを分離し、その分離したサービス
パーツをカムスライダに係合させて、そのカムスライダを左右方向に沿って押し引きする
ことにより、トレイの前進不能状態を解消することができるものであって、そのサービス
パーツが遮蔽箱に付設されているから、それを探すのに手間がかからず、作業能率を向上
させることができる。
【００２３】
また、装置本体とそれに隣接する機器との間の狭い空間を通ってサービスパーツを挿入
しなければならない場合には、その空間にあわせて小さなサービスパーツを予め用意して
おけばよく、使い勝手がよい。
【００２４】
更に、遮蔽箱を板金成形する際に、その板金の捨て板部分を利用してサービスパーツを
形成することにより、コストアップにならず、経済的である。
【００２５】
請求項２に記載の発明によれば、サービスパーツのパーツ本体が細長帯状に形成されて
いるので、狭い切欠き部でも容易に挿入することができる。
【００２６】
また、パーツ本体の一端または両端から直角に折り曲げたフック部でカムスライダの一
端を押しても、トレイがローダーシャーシ内に引っ掛かって前進させることができない場
合には、該フック部をカムスライダの一端に係合させて引っ張ることにより、該カムスラ
イダを元の位置に戻した後、再び、同じ操作を行うことにより、そのトレイの引っ掛かり
を確実に解消することができる。
【発明を実施するための最良の形態】
【００２７】
図１〜図６は本発明の実施の一形態であるディスク装置を示すものであって、図１は同
水平断面図、図２は同プレイモードの縦断面図、図３は同プレイモードの横断面図、図４
は同遮蔽箱付き装置本体の斜視図、図５は同遮蔽箱付き装置本体の分解斜視図、図６（ａ
）は同要部の斜視図、図６（ｂ）は同カムスライダの押出し状態を示す斜視図、図６（ｃ
）は同カムスライダの引っ張り状態を示す斜視図である。
【００２８】
図１に示すように、装置本体２が電磁シールド機能を備えた金属板製遮蔽箱２５内に収
納され、その遮蔽箱２５付き装置本体２が筐体１内に配置され、該筐体１の前板部に形成
したディスク取出口２６にドア２７が開閉可能に配置されている。上記以外の構成で図７
〜図１０に示す構成と同一部分に同一符号を付してその説明を省略する。
【００２９】
図１〜図５に示すように、前記遮蔽箱２５は、プレス成形されたボトムシャーシ２５Ａ
とトップシャーシ２５Ｂとからなり、そのボトムシャーシ２５Ａは、平面視矩形状底板部
２５ａと、該底板部２５ａの両側縁を折り曲げて形成された一対の基台部２５ｂ及び一対
の受台部２５ｃと、その底板部２５ａの前後両側縁から起立させた前後一対の起立板部２
５ｄ，２５ｅとを有し、その前側起立板部２５ｄにトレイ取出口２８が形成され、前記各
基台部２５ｂにローダーシャーシ６の脚部６ｂが止着されている。
【００３０】
前記トップシャーシ２５Ｂは、天板部２５ｆと、該天板部２５ｆの両側縁及び後端縁か
ら下向き直角に折り曲げて形成された左右両側板部２５ｇ，２５ｈ及び後板部２５ｉと、
左右両側板部２５ｇ，２５ｈの下端から外向きに直角に折り曲げて形成された一対の縁板
部２５ｊとを有し、該各縁板部２５ｊが前記各受台部２５ｃに載置されてビス２９により
止着されている。なお、３０は天板部２５ｆにプレス成形した補強枠である。
【００３１】
図２に示すように、トラバースシャーシ９は、後部をゴムからなる後側弾性体３２を介
してローダーシャーシ６に連結されたシャーシ本体９ａと、該シャーシ本体９ａの前部に
ゴムからなる前側弾性体３３を介して連結された昇降体９ｂとからなり、シャーシ本体９
ａにターンテーブル８付きスピンドルモータ１６及び光ピックアップ７が搭載され、昇降
体９ｂにカム軸１１ｂが一体突設されている。
【００３２】
上記構成において、図２の実線及び図３はプレイモードを示しており、その動作は冒頭
に述べた従来例とほぼおなじであるから、その説明を省略する。
【００３３】
プレイモードでアンローディング信号が入力されると、駆動ピニオン１２の回転駆動に
よりカムスライダ１０を矢印ｅ方向にスライドさせ、カム機構１１を介してトラバースシ
ャーシ９を下動ｄさせ（図２一点鎖線参照）、ターンテーブル８からトレイ５にディスク
Ｄを受け渡した後、カムラック１０ａを駆動ピニオン１２から離間させ、それとほぼ同時
に、係合ピン１０ｂを係合溝５ｂの傾斜面１３（図１０参照）に係合させてトレイ５をわ
ずかに前進ａさせることにより、トレイラック５ａを駆動ピニオン１２に噛合させ、該駆
動ピニオン１２の回転駆動によりトレイラック５ａを介してトレイ５を前進ａさせ（図２
二点鎖線参照）、該トレイ５からディスクＤを取り出し、新たなディスクＤをそのトレイ
５上に載置する。
【００３４】
続いて、ローディング信号が入力されると、トレイ５を後進ｂさせてローダーシャーシ
６内に収納し、トレイラック５ａを駆動ピニオン１２から離間させ、それとほぼ同時に、
係合溝５ｂの傾斜面１３を係合ピン１０ｂに係合させてカムスライダ１０を矢印ｆ方向に
わずかにスライドさせることにより、カムラック１０ａを駆動ピニオン１２に噛合させ、
該駆動ピニオン１２の回転駆動によりカムスライダ１０を矢印ｆ方向にスライドさせ、カ
ム機構１１を介してトラバースシャーシ９を上動ｃさせることにより、トレイ５上のディ
スクＤをターンテーブル８とクランパ１５とでクランプする（図２実線参照）。
【００３５】
図５及び図６（ａ）に示すように、ボトムシャーシ２５Ａのトレイ取出口２８の下端縁
から前進ａ側に延びる小幅のつなぎ部３５を介してサービスパーツ３６が一体形成されて
おり、該サービスパーツ３６は、前側起立板部２５ｄと平行してつなぎ部３５に接続され
た細長帯状パーツ本体３６ａと、該該パーツ本体３６ａの両端から下向きに直角に折り曲
げた一対のフック部３６ｂとにより、正面視略コ字状に形成されている。なお、図６（ｂ
）に示すように、カムスライダ１０の一端が前進ａ側に直角に折り曲げられてＬ字部１０
ｃが形成されている。図３及び図５に示すように、カムスライダ１０に対向してトップシ
ャーシ２５Ｂの一方の側板部２５ｇにパーツ挿入口３７が形成されている。
【００３６】
上記構成において、図２に実線で示すように、トレイ５がローダーシャーシ６内に収納
されている状態で、停電になったり、駆動ピニオン１２を回転駆動させるためのモータが
故障したり、ディスクＤがローダーシャーシ６内に詰まるなどして、トレイ５が前進ａ不
能状態になった場合には、図６（ａ）に示すように、サービスパーツ３６を指部で把持し
て上下方向ｇ，ｈに数回曲げて、つなぎ部３５を破断させ、そのサービスパーツ３６を遮
蔽箱２５から分離する。
【００３７】
続いて、その分離したサービスパーツ３６の一方のフック部３６ｂを把持し、他方のフ
ック部３６ｂをパーツ挿入口３７及び切欠き部２２を通ってローダーシャーシ６内に挿入
し、図６（ｂ）に示すように、他方のフック部３６ｂでカムスライダ１０のＬ字部１０ｃ
を矢印ｅ方向に押す。これにより、両係合ピン１０ｂを係合溝５ｂの傾斜面１３（図１０
参照）に係合させて、該トレイ５をわずかに前進ａさせ、ローダーシャーシ６から若干突
出したトレイ５の先端を指部で把持し、そのトレイ５を矢印ａ方向に引っ張ってローダー
シャーシ６内から引き出す。
【００３８】
上記操作を行っても、トレイ５の先端をローダーシャーシ６から若干突出させることが
できない場合には、図６（ｃ）に示すように、他方のフック部３６ｂをカムスライダ１０
のＬ字部１０ｃに引っ掛けて該カムスライダ１０を矢印ｆ方向に引っ張り、そのカムスラ
イダ１０を元の位置に戻し、上記動作〔図６（ａ）参照〕を繰り返すことにより、トレイ
５の先端をローダーシャーシ６から若干突出させる。
【００３９】
上記構成によれば、サービスパーツ３６が遮蔽箱２５に付設されているから、それを探
すのに手間がかからず、作業能率を向上させることができる。
【００４０】
また、装置本体２とそれに隣接する機器（この例では制御部３）との間の狭い空間を通
ってサービスパーツ３６をパーツ挿入口３７に挿入しなければならない場合には、その空
間にあわせて小さなサービスパーツ３６を予め用意しておけばよく、使い勝手がよい。
【００４１】
更に、遮蔽箱２５を板金成形する際に、その板金の捨て板部分を利用してサービスパー
ツ３６を形成することにより、コストアップにならず、経済的である。
【００４２】
また更に、サービスパーツ３６のパーツ本体３６ａが細長帯状に形成されているので、
狭いパーツ挿入口３７及び切欠き部２２でも容易に挿入することができる。
【００４３】
しかも、フック部３６ｂでカムスライダ１０のＬ字部１０ｃを押しても、トレイ５がロ
ーダーシャーシ６内に引っ掛かって前進ａさせることができない場合には、該フック部３
６ｂをカムスライダ１０のＬ字部１０ｃに係合させて引っ張ることにより、該カムスライ
ダ１０を元の位置に戻した後、再び、同じ操作を行うことにより、そのトレイ５の引っ掛
かりを確実に解消することができる。
【００４４】
上記の実施の形態では、パーツ本体３６ａの両端に一対のフック部３６ｂを一体形成し
た正面視略コ字状のサービスパーツ３６を用いたが、これに限定されるわけではなく、両
フック部３６ｂのうちの一方のフック部３６ｂを省略し、パーツ本体３６ａの一端にフッ
ク部３６ｂを一体形成した正面視略Ｌ字状のサービスパーツ３６を用いてもよい。これに
よって、サービスパーツ３６の構造が簡単になって、その使い勝手を一層向上させること
ができる。
【図面の簡単な説明】
【００４５】
【図１】本発明の実施の一形態であるディスク装置を示す水平断面図である。
【図２】同プレイモードの縦断面図である。
【図３】同プレイモードの横断面図である。
【図４】同遮蔽箱付き装置本体の斜視図である。
【図５】同遮蔽箱付き装置本体の分解斜視図である。
【図６】（ａ）は同要部の斜視図、（ｂ）は同カムスライダの押し出し状態を示す斜視図、（ｃ）は同カムスライダの引っ張り状態を示す斜視図である。
【図７】従来例を示す水平断面図である。
【図８】同縦断面図である。
【図９】同横断面図である。
【図１０】同トレイの平面図である。
【符号の説明】
【００４６】
２            装置本体
５            トレイ
５ａ          トレイラック
５ｂ          係合溝
６            ローダーシャーシ
７            光ピックアップ
８            ターンテーブル
９            トラバースシャーシ
１０          カムスライダ
１０ａ        カムラック
１０ｂ        係合ピン
１１          カム機構
２５          遮蔽箱
３５          つなぎ部
３６          サービスパーツ
３６ａ        パーツ本体
３６ｂ        フック部
Ｄ            ディスク
ａ，ｂ        前後進
ｃ，ｄ        上下動
【図１】
2009266273.tif 000003
【図２】
2009266273.tif 000004
【図３】
2009266273.tif 000005
【図４】
2009266273.tif 000006
【図５】
2009266273.tif 000007
【図６】
2009266273.tif 000008
【図７】
2009266273.tif 000009
【図８】
2009266273.tif 000010
【図９】
2009266273.tif 000011
【図１０】
2009266273.tif 000012